(57)【特許請求の範囲】
【請求項１】
電動リールのモータの蓋部材をリール本体に取り付ける電動リールのモータ取り付け構造であって、
前記蓋部材を前記リール本体に固定する複数のボルト部材と、
前記ボルト部材の外周側で前記蓋部材の前記端面と前記リール本体の間に配置されたシール部材と、
を備えた電動リールのモータ取付構造。
【請求項２】
前記シール部材は、前記リール本体に装着されたＯリングである、請求項１に記載の電動リールのモータ取付構造。
【請求項３】
前記モータは、
前記リール本体に対して固定され、少なくとも一端に円形の開口を有する筒状のケース部材と、
前記ケース部材に固定され前記開口を塞ぐための円板状の前記蓋部材と、
前記ケース部材及び前記蓋部材に回転自在に支持された出力軸と、を備え、
前記蓋部材は、外周面に前記一端側の端面から間隔を隔てて配置された少なくとも一つの係合凹部を有し、
前記ケース部材は、前記係合凹部に沿って折り曲げられる少なくとも一つの舌片を有する、請求項１又は２に記載の電動リールのモータ取付構造。
【請求項４】
前記モータは、前記蓋部材と前記ケース部材との固定部分を少なくともカバーする合成樹脂製の筒状のカバー部材をさらに備える、請求項３に記載の電動リールのモータ取付構造。
【請求項５】
前記カバー部材は、前記ケース部材及び前記蓋部材の外周面をカバーする、請求項４に記載の電動リールのモータ取付構造。
【請求項６】
前記ケース部材は、前記蓋部材を介して前記リール本体に固定される、請求項３から５のいずれか１項に記載の電動リールのモータ取付構造。
【発明の詳細な説明】
【技術分野】
【０００１】
本発明は、電動リールのリール本体に回転自在に支持されたスプールを駆動する電動リールのモータ取付構造に関する。
【背景技術】
【０００２】
糸巻き上げ時のスプールの回転をモータで行うことのできる電動リールは、リール本体と、リール本体に回転自在に支持されたスプールと、スプールを手動で回転させるためのハンドルと、スプールを巻き上げ方向に駆動する電動のモータとを備えている。リール本体の上面には、水深表示用のディスプレイや各種の入力を行うスイッチが設けられたカウンターケースが装着されている。
【０００３】
電動リールのモータは、スプールの前方やスプールの内部に設けられている。モータは、開口を一端に有するケース部材と、ケース部材の開口を塞ぐための蓋部材と、ケース部材の内周面に固定された固定子と、ケース部材及び蓋部材に回転自在に装着された回転子と、を有している（例えば、特許文献１参照）。従来のモータのケース部材は、金属製の有底筒状の部材である。ケース部材の開口側には、蓋部材を固定するための舌片が形成されている。蓋部材は円板状の部材であり、ケース部材の内周面が蓋部材の外周面に嵌合している。蓋部材には、舌片を折り曲げて蓋部材とケース部材とを固定するための係合凹部が外周面から外側端面にかけて凹んで形成されている。ケース部材の舌片を係合凹部内で内側に折り曲げることにより蓋部材をケース部材にカシメ固定している。カシメ固定部分には、封止部材が形成されており、封止部材により封止されている。また、ケース部材は、カシメ固定部分を含めて外側面に防錆塗装がなされている。これらにより、モータの防水処理を行っている。
【先行技術文献】
【特許文献】
【０００４】
【特許文献１】特開２００９−２８４７９３号公報
【発明の概要】
【発明が解決しようとする課題】
【０００５】
従来の電動リールのモータでは、内部での結露を防止するために、カシメ固定部分に封止部材を形成すると共に、カシメ固定部分を含めてケース部材及び蓋部材の外周面に防錆塗装膜が形成されている。このように、封止部材及び防錆塗装膜を形成すると、モータの防水処理のコストが増大する。そこで、封止部材及び防錆塗装膜の形成に代えて、安価な合成樹脂製の筒状の収縮チューブ等の筒状のカバー部材でケース部材及び蓋部材の外周面を覆うことが考えられる。しかし、蓋部材の外側端面に係合凹部が開口しているため、係合凹部の開口部分をカバー部材で覆うことができない。このため、外側端面の係合凹部から内部に液体が浸入するおそれがある。
【０００６】
本発明の課題は、両軸受リールのモータにおいて、ケース部材と蓋部材とを容易に防水処理できるようにすることにある。
【課題を解決するための手段】
【０００７】
発明１に係る電動リールのモータ取付構造は、電動リールのモータの蓋部材をリール本体に取り付ける構造である。電動リールのモータ取付構造は、蓋部材をリール本体に固定する複数のボルト部材と、ボルト部材の外周側で蓋部材の端面とリール本体の間に配置されたシール部材と、を備える。
【０００８】
この電動リールのモータ取付構造では、外周面を防水処理しやすいモータの蓋部材をボルト部材により着脱可能かつ容易にリール本体に取り付けできる。また、ボルト部材の外周側にシール部材が配置されるので、ボルト部材でモータをリール本体に取り付けても、ボルト部材側に液体が浸入しにくくなる。
【０００９】
発明２に係る電動リールのモータ取付構造は、発明１記載のモータ取付構造において、シール部材は、リール本体に装着されたＯリングである。この場合には、安価なＯリングにより、リール本体と蓋部材との間を容易にシールできる。
【００１０】
発明３に係る電動リールのモータ取付構造は、発明１または２に記載のモータ取付構造において、モータは、筒状のケース部材と、円板状の蓋部材と、出力軸と、を備える。ケース部材は、リール本体に対して固定され、少なくとも一端に円形の開口を有する。蓋部材は、ケース部材に固定され開口を塞ぐための部材である。出力軸は、ケース部材及び蓋部材に回転自在に支持される。蓋部材は、外周面に一端側の端面から間隔を隔てて配置された少なくとも一つの係合凹部を有する。ケース部材は、係合凹部に沿って折り曲げられる少なくとも一つの舌片を有する。
【００１１】
この電動リールのモータでは、ケース部材には舌片が形成され、蓋部材には舌片が折り曲げられる係合凹部が形成されている。この係合凹部は、蓋部材の一端側の端面から間隔を隔てて蓋部材の外周面に凹んで形成されている。このため、蓋部材の一端側の端面には係合凹部が開口しない。また、係合凹部から一端側の端面までの間に円周面が蓋部材の外周面に形成される。この結果、熱収縮チューブや筒状の弾性体等で構成された筒状部材をケース部材及び蓋部材の外周面に装着すれば、係合凹部を含めてケース部材及び蓋部材の外周面を覆うことができる。これにより、係合凹部に封止部材を形成する必要がなくなり、ケース部材と蓋部材とを容易に防水処理できるようになる。しかも、蓋部材の端面にカシメ固定用の凹部が開口しないので、リール本体と蓋部材の端面との間を防水処理しやすくなる。
【００１２】
発明４に係る電動リールのモータ取付構造は、発明３に記載のモータ取付構造において、蓋部材とケース部材との接続部分を少なくともカバーする合成樹脂製の筒状のカバー部材をさらに備える。この場合には、例えば収縮チューブや弾性チューブ等の筒状のカバー部材により蓋部材とケース部材との少なくとも接続部分が覆われるので、ケース部材と蓋部材とを容易かつ確実に防水処理できるようになる。また、カバー部材により蓋部材とケース部材とがさらに確実に固定される。
【００１３】
発明５に係る電動リールのモータ取付構造は、発明４に記載のモータ取付構造において、カバー部材は、ケース部材の外周面から蓋部材の端面までをカバーする。この場合には、ケース部材及び蓋部材の外周面が全てカバーされ、ケース部材を金属製にしてもケース部材を防錆処理できる。
【００１４】
発明６に係る電動リールのモータは、発明３から５のいずれかに記載のモータ取付構造において、ケース部材は、蓋部材を介してリール本体に固定される。この場合には、ケース部材が蓋部材を介してリール本体に固定されるので、モータの固定が容易になる。
【発明の効果】
【００１５】
本発明によれば、蓋部材の一端側の端面には係合凹部が開口しない。また、係合凹部から一端側の端面までの間に円周面が蓋部材の外周面に形成される。この結果、熱収縮チューブや筒状の弾性体等で構成された筒状部材をケース部材及び蓋部材の外周面に装着すれば、係合凹部を含めてケース部材及び蓋部材の外周面を覆うことができる。これにより、係合凹部に封止部材を形成する必要がなくなり、ケース部材と蓋部材とを容易に防水処理できるようになる。
【図面の簡単な説明】
【００１６】
【図１】本発明の一実施形態が採用された電動リールの斜視図。
【図２】その縦断面図。
【図３】ハンドルと逆側の側カバーを外した状態の電動リールの側面一部断面図。
【図４】モータ取付構造を示す図２の断面拡大部分図。
【図５】モータの分解斜視図。
【発明を実施するための形態】
【００１７】
＜全体構成＞
本発明の一実施形態を採用した電動リールは、図１に示すように、主にハンドル１が装着されたリール本体２と、リール本体２に回転自在に装着されたスプール３と、スプール３内に装着されたモータ４とを備えている。リール本体２の上部には、水深表示等を行うためのカウンターケース５が装着されている。リール本体２の内部には、図２に示すように、ハンドル１の回転をスプール３に伝達するとともにモータ４の回転をスプール３に伝達する回転伝達機構６が設けられている。
【００１８】
＜リール本体の構成＞
リール本体２は、図２に示すように、フレーム１３と、フレーム１３の両側方を覆う第１側カバー１４及び第２側カバー１５と、モータ４を装着するためのモータホルダ２７と、を有している。フレーム１３は、アルミニウムダイキャスト製の一体成形された部材であり、第１側板１６及び第２側板１７と、第１側板１６及び第２側板１７を複数箇所で連結する連結部材１８とを有している。下部の連結部材１８には、釣り竿を装着するための竿装着脚１９が装着されている。第１側板１６は、周縁部にリブを有する板状部材である。モータホルダ２７は、アルミニウムダイキャスト製の部材であり、第１側板１６の中心部の軸方向外側に配置され、固定ボルト２６により第１側板１６に固定されている。第１側カバー１４はハンドル１と逆側に配置され、第１側板１６の外方を覆う。第２側カバー１５は、ハンドル１装着側に配置され、第２側板１７の外方を覆う。
【００１９】
モータホルダ２７には、モータ４が着脱可能に取り付けられている。モータ４は、スプール３内に形成されたモータ収納空間３ａに収納されている。モータ収納空間３ａは、グリス等によりシールされている。モータホルダ２７の内部には、図２及び図４に示すように、軸方向内方（図２右方）に突出する筒状のモータ保持部２７ａと、モータ保持部２７ａの内周側から軸方向外方（図２左方）に突出するクラッチ収納部２７ｂと、が形成されている。モータ保持部２７ａの軸方向内側の端面には、モータ４の基端部（後述する蓋部材３２）が取付ボルト２３（ボルト部材の一例）により締結されている。また、モータ保持部２７ａの外周面には、スプール３の一端を回転自在に支持するためのシール付きの転がり軸受２５が装着されている。転がり軸受２５の外輪２５ａは、スプール３の内周面に装着される。転がり軸受２５の内輪２５ｂは、モータ保持部２７ａの外周面に装着され、モータ４とモータ保持部２７ａとによって挟持されている。クラッチ収納部２７ｂの内周面には、ワンウェイクラッチ２９が装着されている。ワンウェイクラッチ２９は、ローラ式のものであり、モータ４の出力軸３０（後述）の糸繰り出し方向の回転を禁止する。また、モータホルダ２７の外側面には、図３に示すように、放射状に多数の放熱フィン２７ｃが形成されている。さらに、モータホルダ２７には、モータ４の１対の配線端子７０ｂが通過可能な１対の取出孔２７ｄと、取付ボルト２３が挿入されるボルト孔２７ｅと、が形成されている。取出孔２７ｄは、配線端子７０ｂにモータ配線が接続された後に、シリコンゴムなどの適宜のシール剤により封止される。ボルト孔２７ｅは、取付ボルト２３がねじ込まれた後に、シリコンゴムなどの適宜の封止剤により封止される。ボルト孔２７ｅの径方向外方には、図４に示すように、環状のシール装着溝２７ｆが形成されている。シール装着溝２７ｆには、モータホルダ２７とモータ４の後述する蓋部材３２の端面３２ｆとの間をシールするＯリング（シール部材の一例）３５が装着されている。
【００２０】
カウンターケース５は、釣り糸の先端に装着された仕掛けの水深を表示するとともに、モータ４を制御するために設けられている。カウンターケース５には、図１に示すように、仕掛けの水深データＬＸや棚位置を水面からと底からとの２つの基準で表示するための液晶表示ディスプレイからなる水深表示部９８と、水深表示部９８の周囲に配置された複数のスイッチからなる操作キー部９９とが設けられている。
【００２１】
カウンターケース５の内部には、液晶ディスプレイからなる水深表示部９８やモータ４を制御するためのマイクロコンピュータからなるモータ制御部（図示せず）が収納されている。モータ制御部には、操作キー部９９と、第２側カバー１５に揺動自在に装着されスプールの速度や釣り糸の張力を調整するための調整レバー１０１と、スプール３の回転数と回転方向とを検出するスプールセンサ（図示せず）と、水深表示部９８と、モータ４をパルス幅変調（ＰＷＭ）したデューティ比で駆動するモータ駆動部（図示せず）と、が接続されている。モータ制御部は、調整レバー１０１の操作量に応じてモータ４の巻き上げ速度や巻き上げトルクを制御する。また、スプールセンサの出力により釣り糸の先端に取り付けられる仕掛けの水深を算出し、それを水深表示部９８に表示する。
【００２２】
＜モータの構成＞
モータ４は、リール本体２に回転自在に支持されたスプール３を糸巻取方向に駆動する。モータ４は、図２、図４及び図５に示すように、基端に円形の開口３１ａを有する有底筒状のケース部材３１と、蓋部材３２と、出力軸３０と、カバー部材３３と、を有している。蓋部材３２は、開口３１ａを塞ぐためにケース部材３１の基端に固定される。出力軸３０は、ケース部材３１と蓋部材３２とに回転自在に装着される。カバー部材３３は、ケース部材３１及び蓋部材３２の外周面をカバーする。
【００２３】
ケース部材３１は、有底筒状の部材であり、底部で出力軸３０を回転自在に支持している。ケース部材３１は、深絞りプレス成形された金属製の部材である。ケース部材３１は、蓋部材３２を介してリール本体２に対して固定されている。
【００２４】
ケース部材３１は、開口３１ａ部分に周方向に間隔を隔てて形成されたカシメ固定用の複数（たとえば２つ）の舌片３１ｂを有している。舌片３１ｂは、内側に折り曲げ可能なものであり、開口３１ａに周方向に僅かな間隔で形成された２つのスリットにより概ね矩形に形成されている。ケース部材３１の外周面には、鋼鉄製の筒状のフラックスリング３６が固定されている。フラックスリング３６は、ケース部材３１の外周面から磁束が漏れるのを抑制してモータ４の効率を向上させるために設けられている。
【００２５】
ケース部材３１の内部には、図５に示すように、永久磁石を有する界磁（固定子）６７と、コイルを有する電機子（回転子）６８と、整流子６９と、ブラシ７０とが配置されている。ケース部材３１の底部に第１軸受７６ａを介して出力軸３０が回転自在に支持されている。
【００２６】
蓋部材３２は、図４に示すように、モータホルダ２７に固定されている。蓋部材３２は、円板状の、たとえばアルミニウム合金製の部材であり、ケース部材３１にカシメ固定されている。蓋部材３２に、第１軸受７６ａを介して出力軸３０が回転自在に支持されている。第１軸受７６ａ及び第２軸受７６ｂは、外周面が球面のたとえば真鍮製の滑り軸受である。蓋部材３２は、軸方向に沿って貫通して形成された２つの取出溝３２ａと、取付ボルト２３がねじ込まれる、たとえば２つのネジ孔３２ｂと、を有している。取出溝３２ａ及びネジ孔３２ｂは、モータホルダ２７の取出孔２７ｄ及びボルト孔２７ｅに各別に対向可能な位置に形成されている。モータホルダ２７の外側面から取付ボルト２３をボルト孔２７ｅに挿入し、ネジ孔３２ｂに取付ボルト２３をねじ込むことにより、リール本体２のモータホルダ２７にモータ４が固定される。これらの蓋部材３２と取付ボルト２３とＯリング３５と、によりモータ取付構造１０が構成される。
【００２７】
蓋部材３２の外周面は、基端（一端の一例）側の第１外周面３２ｄと先端側の第２外周面３２ｅとで構成されている。第１外周面３２ｄは、第２外周面３２ｅより大径である。第１外周面３２ｄと第２外周面３２ｅとの段差に、ケース部材３１の開口３１ａが当接する。蓋部材３２は、第２外周面３２ｅに凹んで形成された２つの係合凹部３２ｃを有している。この実施形態では、例えば係合凹部３２ｃは、第１外周面３２ｄと第２外周面３２ｅとの境界部分より第２外周面３２ｅ側に形成されている。したがって、係合凹部３２ｃは、蓋部材３２の基端側の端面３２ｆから間隔を隔てて配置されている。２つの係合凹部３２ｃは、内側に折り曲げられた舌片３１ｂに係合可能な形状である。舌片３１ｂを係合凹部３２ｃに向けて内側に折り曲げることにより、蓋部材３２がケース部材３１にカシメ固定される。
【００２８】
カバー部材３３は、図４に示すように、舌片３１ｂと係合凹部３２ｃとで構成された蓋部材３２とケース部材３１との接続部分であるカシメ固定部分３４を少なくともカバーする。この実施形態では、カバー部材３３は、図２に示すように、カシメ固定部分３４（図４）を含んでケース部材３１及び蓋部材３２の外周面全体に取り付けられている。カバー部材３３は、図４に示すように、舌片３１ｂを覆うように形成されている。カバー部材３３は、例えば、熱収縮性を有する合成樹脂製の筒状部材である。カバー部材３３をケース部材３１及び蓋部材３２の外周面に装着して加熱することにより、カバー部材３３は、ケース部材３１及び蓋部材３２の外周面に密着する。
【００２９】
出力軸３０は、図４および図５に示すように、ケース部材３１と蓋部材３２とに回転自在に装着されている。出力軸３０の左端は蓋部材３２から突出しており、そこには、セレーション３０ａが形成され、モータ４の逆転を防止するワンウェイクラッチ２９がたとえばセレーション結合により回転不能に固定されている。出力軸３０の右端部３０ｂは、図２に示すようにケース部材３１の先端から突出している。この突出した先端には、回転伝達機構６を構成する２段減速の遊星歯車機構４０が装着されている。
【００３０】
界磁６７は、図４及び図５に示すように、ケース部材３１の内周面に固定されており、希土類合金粉末をたとえば筒状に焼結して固めて得られた円筒状の異方性磁石である。
【００３１】
電機子６８は、図５に示すように、界磁６７の内周面に対向して配置されている。電機子６８は、放射状に突出する、たとえば５つの極部を有する電機子鉄心７７と、電機子鉄心７７の極部に巻回されたコイル７８とを有している。電機子鉄心７７は、アモルファス珪素合金製の薄板を重ねて形成したものであり、ヒステリシスロスが少ない高い透磁率を有するものである。
【００３２】
整流子６９は、出力軸３０に電気的に絶縁して固定された筒状の絶縁部材６９ａの外周面に周方向に５つ分割されて形成された導体である。整流子６９は、ブラシ７０に電気的に接続されている。
【００３３】
ブラシ７０は、蓋部材３２に装着された絶縁体製の取付部材７０ａに固定されており、整流子６９の対向する周面で整流子６９に電気的に接続されている。ブラシ７０は、蓋部材３２の１対の取出溝３２ａを貫通して外部に突出するように配置された２つの配線端子７０ｂに電気的に接続されている。この取出溝３２ａと配線端子７０ｂの隙間は、たとえば瞬間接着剤により封止されている。これにより、モータ４内部への液体の浸入を阻止している。また、配線端子７０ｂはモータホルダ２７の取出孔２７ｄを通ってモータホルダ２７の外部に露出している。配線端子７０ｂには、図示しないモータ配線が接続され、モータ配線はカウンターケース５の内部に導入されている。
【００３４】
このような構成された電動リールのモータでは、カシメ固定部分３４の舌片３１ｂがカシメられる係合凹部３２ｃが蓋部材３２の外周面に端面３２ｆから間隔を隔てて配置されている。このため、係合凹部３２ｃは、端面３２ｆに開口しない。また、係合凹部から一端側の端面までの間に円周面が蓋部材の外周面に形成される。この結果、熱収縮チューブや筒状の弾性体等で構成されたカバー部材３３をケース部材３１及び蓋部材３２の外周面に装着すれば、係合凹部３２ｃを含めてケース部材３１及び蓋部材３２の外周面を覆うことができる。これにより、係合凹部３２ｃに封止部材を形成する必要がなくなり、ケース部材３１と蓋部材３２とを容易に防水処理できるようになる。
【００３５】
また、端面３２ｆに係合凹部３２ｃが開口しないので、端面３２ｆにおいて取付ボルト２３の外周面がシール部材であるＯリング３５により、モータホルダ２７と端面３２ｆとの間を防水処理できる。このため、取付ボルト２３の外周側からの液体の浸入を防止できる。
【００３６】
＜他の実施形態＞
以上、本発明の一実施形態について説明したが、本発明は上記実施形態に限定されるものではなく、発明の要旨を逸脱しない範囲で種々の変更が可能である。
【００３７】
（ａ）前記実施形態では、カバー部材３３でカシメ固定部分３４を含む蓋部材３２とケース部材３１の外周面全体をカバーしたが、本発明はこれに限定されない。例えば、蓋部材３２とケース部材３１との接続部分であるカシメ固定部分３４だけをカバー部材でカバーするようにしても良い。
【００３８】
（ｂ）前記実施形態では、スプール３のモータ収納空間３ａに収納されるモータ４を例に本発明を説明したが、スプールの前方でリール本体に形成されたモータ収納空間に収納されるモータにも本発明を適用できる。
【００３９】
（ｃ）前記実施形態では、カバー部材３３として熱収縮チューブを用いたが本発明はこれに限定されない。例えば、合成樹脂製の筒状の弾性部材をカバー部材として用いても良い。カバー部材は、蓋部材及びカバー部材の外周面に密着可能なものであればどのようなものでも良い。
【００４０】
（ｄ）前記実施形態では、蓋部材３２がリール本体２のモータホルダ２７に固定されているが、ケース部材がリール本体２のフレーム１３に固定されていてもよい。
【００４１】
（ｅ）前記実施形態では、ケース部材３１が有底筒状であったが、ケース部材が筒状部と底部とに分割されているものであってもよい。
【００４２】
（ｆ）前記実施形態では、取付ボルト２３及び配線端子７０ｂを封止する封止部材としてシリコンゴム等のシール剤を用いたが、本発明はこれに限定されない。例えば、シアノアクリレート（cyanoacrylate）等を主成分とする接着剤を用いてもよい。
【００４３】
（ｇ）前記実施形態では、ブラシを有する直流モータを例に本発明は説明したが、本発明はこれに限定されない。例えば、ブラシレスの直流モータであっても良い。
【００４４】
（ｈ）前記実施形態では、蓋部材３２の外周面を大径の第１外周面３２ｄと小径の第２外周面３２ｅとで構成したが本発明はこれに限定されない。蓋部材の外周面の同じ外径の外周面であっても良い。この場合でも、係合凹部を端面から離反した位置に配置すればよい。これにより、蓋部材とケース部材の外周面との間に段差が生じるが、カバー部材で覆うことができる。
【００４５】
＜特徴＞
上記実施形態は、下記のように表現可能である。
【００４６】
（Ａ）電動リールのモータ４は、電動リールのリール本体２に回転自在に支持されたスプール３を駆動する。モータ４は、筒状のケース部材３１と、円板状の蓋部材３２と、出力軸３０と、を備える。ケース部材３１は、リール本体２（モータホルダ２７）に対して固定され、少なくとも一端に円形の開口３１ａを有する。蓋部材３２は、ケース部材３１に固定され開口３１ａを塞ぐための部材である。出力軸３０は、ケース部材３１及び蓋部材３２に回転自在に支持される。蓋部材３２は、外周面に一端側の端面３２ｆから間隔を隔てて配置された少なくとも一つの係合凹部３２ｃを有する。ケース部材３１は、係合凹部３２ｃに沿って折り曲げられる少なくとも一つの舌片３１ｂを有する。
【００４７】
この電動リールのモータ４では、ケース部材３１には舌片３１ｂが形成され、蓋部材３２には舌片３１ｂが折り曲げられる係合凹部３２ｃが形成されている。この係合凹部３２ｃは、蓋部材３２の一端側の端面３２ｆから間隔を隔てて蓋部材３２の第２外周面３２ｅに凹んで形成されている。このため、蓋部材３２の一端側の端面３２ｆには係合凹部３２ｃが開口しない。また、係合凹部３２ｃから一端側の端面３２ｆまでの間に円周面が蓋部材３２の第１外周面３２ｄに形成される。この結果、熱収縮チューブや筒状の弾性体等で構成されたカバー部材３３をケース部材３１及び蓋部材３２の外周面に装着すれば、係合凹部３２ｃを含めてケース部材３１及び蓋部材３２の外周面を覆うことができる。これにより、係合凹部３２ｃに封止部材を形成する必要がなくなり、ケース部材３１と蓋部材３２とを容易に防水処理できるようになる。しかも、蓋部材３２の端面３２ｆにカシメ固定用の凹部が開口しないので、リール本体２と蓋部材３２の端面３２ｆとの間を防水処理しやすくなる。
【００４８】
（Ｂ）モータ４において、蓋部材３２とケース部材３１との接続部分であるカシメ固定部分３４を少なくともカバーする合成樹脂製の筒状のカバー部材３３をさらに備える。この場合には、例えば収縮チューブや弾性チューブ等の筒状のカバー部材３３により蓋部材３２とケース部材３１との少なくともカシメ固定部分３４が覆われるので、ケース部材３１と蓋部材３２とを容易かつ確実に防水処理できるようになる。また、カバー部材３３により蓋部材３２とケース部材３１とがさらに確実に固定される。
【００４９】
（Ｃ）モータ４において、カバー部材３３は、ケース部材３１の外周面から蓋部材３２の端面までをカバーする。この場合には、ケース部材３１及び蓋部材３２の外周面が全てカバーされ、ケース部材３１を金属製にしてもケース部材３１を防錆処理できる。
【００５０】
（Ｄ）モータ４において、ケース部材３１は、蓋部材３２を介してリール本体２（モータホルダ２７）に固定される。この場合には、ケース部材３１が蓋部材３２を介してリール本体２に固定されるので、モータ４の固定が容易になる。
【００５１】
（Ｅ）モータ取付構造１０は、モータ４の蓋部材３２と、蓋部材３２をリール本体に固定する複数の取付ボルト２３と、を備える。
【００５２】
この電動リールのモータ取付構造１０では、外周面を防水処理しやすいモータ４の蓋部材３２を取付ボルト２３により着脱可能かつ容易にリール本体２（モータホルダ２７）に取り付けできる。
【００５３】
（Ｆ）モータ取付構造１０において、取付ボルト２３の外周側で蓋部材３２の端面３２ｆとリール本体２（モータホルダ２７）の間に配置されたシール部材としてのＯリング３５をさらに備える。この場合には、取付ボルト２３の外周側にＯリング３５が配置されるので、取付ボルト２３でモータ４をリール本体２に取り付けても、取付ボルト２３側に液体が浸入しにくくなる。また、安価なＯリングにより、リール本体２と蓋部材３２との間を容易にシールできる。
【符号の説明】
【００５４】
２    リール本体
３    スプール
４    モータ
１０    モータ取付構造
２７    モータホルダ
３０    出力軸
３１    ケース部材
３１ａ  開口
３１ｂ  舌片
３２    蓋部材
３２ｃ  係合凹部
３２ｆ  端面
３３    カバー部材
３４    カシメ固定部分
３５    Ｏリング
【図１】
0005798812.tif 000002
【図２】
0005798812.tif 000003
【図３】
0005798812.tif 000004
【図４】
0005798812.tif 000005
【図５】
0005798812.tif 000006